【手続補正書】
【提出日】平成21年11月3日(2009.11.3)
【手続補正１】
【補正対象書類名】特許請求の範囲
【補正対象項目名】全文
【補正方法】変更
【補正の内容】
【特許請求の範囲】
【請求項１】
以下を特長とする、流動性物質を分注するための連続封鎖式一方向性バルブアセンブリおよび送達システム：  
流動性物質を保管する供給源、開口部のある供給源；
供給源の開口部に連結するバルブアセンブリ、以下を含む該バルブアセンブリ；
（ｉ）  流動性物質を通路へと受ける入口開口部および通路から少なくとも一つのポート開口部のある内部コア、
（ｉｉ）  第一端部および第二端部のある中空の可撓膜で、第一端部が第二端部よりも厚みがあり、中空の可撓膜が内部コアの外側表面上に適合し、流動性物質に加圧されたときに、流動性物質が少なくとも一つのポートから排出され、該内部コアの該外側表面から外側に該膜を伸ばすもの；
カバーが可撓膜を囲み、流動性物質に圧力が加えられる際にバルブアセンブリから流動性物質を分注する出口オリフィスがあるもの、そして、  
流動性物質が圧力から開放されたときに、中空の可撓膜の第一端部が、中空の可撓膜の残りの部分が該内部コアの外側表面にぴったりと適合して接触する前に、内部コアの外側表面にぴったりと適合して接触するもの、そして、
供給源に以下を含む防腐剤を含まないアイケアまたはノーズケアの製品が充填されるもの：ヒアルロナンまたはヒアルロナンの誘導体。
【請求項２】
中空の可撓膜の第一端部および核の周りで、軸方向に延びる持続性の連続的なバンドが中空の可撓膜にある、請求項１に記載の連続封鎖式一方向性バルブアセンブリおよび送達システム。
【請求項３】
内部コアの通路に隣接して、該膜の第二端部で外側に放射状に伸びるフランジが該膜にあり、内部コアの中へと通路の開口部で外側に放射状に伸びるフランジに液体がしっかりと接触するよう、膜上でフランジを押圧する、外側に放射状に伸びるフランジがカバーにある、請求項１に記載の連続封鎖式一方向性バルブアセンブリおよび送達システム。
【請求項４】
接管および連結管の部材によってバルブアセンブリが供給源に固定される、請求項３に記載の連続封鎖式一方向性バルブアセンブリおよび送達システム。
【請求項５】
連結管の部材が接管と嵌合するネジ山のあるネジである、請求項４に記載の連続封鎖式一方向性バルブアセンブリおよび送達システム。
【請求項６】
供給源の接管および連結管の部材によってバルブアセンブリが供給源に固定され、供給源が開くのを防ぐ絶対的な安全装置の効果がある、請求項４に記載の連続封鎖式一方向性バルブアセンブリおよび送達システム。
【請求項７】
流動性物質の選択量を分注することができるよう、出口オリフィスが配置されている、請求項１に記載の連続封鎖式一方向性バルブアセンブリおよび送達システム。
【請求項８】
カバーの出口オリフィスが柔らかい材質で形成されている、請求項１に記載の連続封鎖式一方向性バルブアセンブリおよび送達システム。
【請求項９】
カバーの出口オリフィスが柔軟な材質で形成されている、請求項１に記載の連続封鎖式一方向性バルブアセンブリおよび送達システム。
【請求項１０】
カバーが、軸方向に伸びる硬質プラスチックのシェル管胴で側面から囲まれた、内側に軸方向に延びる可撓膜で形成されている、請求項１に記載の連続封鎖式一方向性バルブアセンブリおよび送達システム。
【請求項１１】
保管中に外部の汚染がバルブアセンブリに混入しないよう、バルブアセンブリに適合し、十分な密封を形成するよう、オーバーキャップが配置されている、請求項１に記載の連続封鎖式一方向性バルブアセンブリおよび送達システム。
【請求項１２】
少なくとも二つのポートが内部コアを通って通路から可撓膜の内面に伸びる、請求項１に記載の連続封鎖式一方向性バルブアセンブリおよび送達システム。
【請求項１３】
供給源に、流動性物質が折り畳み可能な貯蔵部から分注されるときと比率した量で縮小可能な折り畳み可能な貯蔵部が含まれる、請求項１に記載の連続封鎖式一方向性バルブアセンブリおよび送達システム。
【請求項１４】
該折り畳み可能な貯蔵部が、ベローズ、チューブ、内蔵バッグのいずれかである、請求項１３に記載の連続封鎖式一方向性バルブアセンブリおよび送達システム。
【請求項１５】
軸方向に伸びるハウジングが供給源を側面から囲む、請求項１に記載の連続封鎖式一方向性バルブアセンブリおよび送達システム。
【請求項１６】
ハウジングに、折り畳み可能な貯蔵部のアクチュエータへの分注のための圧力を加えるための、軸方向に伸びるスロットがある、請求項１５に記載の連続封鎖式一方向性バルブアセンブリおよび送達システム。
【請求項１７】
カバーに、分注のための圧力が供給源に加えられるときに、カバーから流動性物質を分注するために開く、閉じた出口オリフィスのある、請求項１に記載の連続封鎖式一方向性バルブアセンブリおよび送達システム。
【請求項１８】
カバーの出口オリフィスが流動性物質に対して不浸透性で、流動性物質が出口オリフィスの内部に保持されない、請求項１７に記載の連続封鎖式一方向性バルブアセンブリおよび送達システム。
【請求項１９】
アクチュエータが抑圧されたときに流動性物質が出口オリフィスから分注されるよう、内部コアがポンプアセンブリおよびアクチュエータに連結している、請求項１に記載の連続封鎖式一方向性バルブアセンブリおよび送達システム。
【請求項２０】
供給源に以下を含む防腐剤を含まないアイケア製品が充填されている、請求項１に記載の連続封鎖式一方向性バルブアセンブリおよび送達システム：ヒアルロナンまたはヒアルロナンの誘導体および単数または複数の緩和剤。
【請求項２１】
ヒアルロナンまたはヒアルロナンの誘導体が約３００，０００ダルトンから約７，０００，０００ダルトンの大きさの範囲の、請求項２０に記載の連続封鎖式一方向性バルブアセンブリおよび送達システム。
【請求項２２】
ヒアルロナンまたはヒアルロナンの誘導体が約１４０万ダルトンから約２００万ダルトンの大きさの範囲の、請求項２０に記載の連続封鎖式一方向性バルブアセンブリおよび送達システム。
【請求項２３】
ヒアルロナンまたはヒアルロナンの誘導体が約２００万ダルトンから約１５００万ダルトンの大きさの範囲の、請求項２０に記載の連続封鎖式一方向性バルブアセンブリおよび送達システム。
【請求項２４】
ヒアルロナンまたはヒアルロナンの誘導体が約１０００万ダルトンから約１５００万ダルトンの大きさの範囲の、請求項２０に記載の連続封鎖式一方向性バルブアセンブリおよび送達システム。
【請求項２５】
ヒアルロナンまたはヒアルロナンの誘導体が約１０００万ダルトンから約２５００万ダルトンの大きさの範囲の、請求項２０に記載の連続封鎖式一方向性バルブアセンブリおよび送達システム。
【請求項２６】
ヒアルロナンまたはヒアルロナンの誘導体が約０．０５〜０．５％存在する、請求項２０に記載の連続封鎖式一方向性バルブアセンブリおよび送達システム。
【請求項２７】
ヒアルロナンまたはヒアルロナンの誘導体が約０．０５〜３％存在する、請求項２０に記載の連続封鎖式一方向性バルブアセンブリおよび送達システム。
【請求項２８】
ヒアルロナンまたはヒアルロナンの誘導体が生物発酵によって得られる、請求項２０に記載の連続封鎖式一方向性バルブアセンブリおよび送達システム。
【請求項２９】
供給源に以下を含む防腐剤を含まないアイケア製品が充填されている、請求項２０に記載の連続封鎖式一方向性バルブアセンブリおよび送達システム：ヒアルロナンまたはヒアルロナンの誘導体、単数または複数の緩和剤および以下の単数または複数から選択される製品：チモロール０．２５％／０．５０％、ブリモニジンタータラート０．１％、ビマトプロスト０．０３％  およびトラバプロスト０．００４％。    
【請求項３０】
供給源に以下を含む防腐剤を含まないアイケア製品が充填されている、請求項２０に記載の連続封鎖式一方向性バルブアセンブリおよび送達システム。ヒアルロナンまたはヒアルロナンの誘導体、単数または複数の緩和剤および以下の単数または複数から選択される製品：オロパタジン塩酸０．１％および酢酸プレドニゾロン１％。    
【請求項３１】
供給源に以下を含む防腐剤を含まないアイケア製品が充填されている、請求項２０に記載の連続封鎖式一方向性バルブアセンブリおよび送達システム。ヒアルロナンまたはヒアルロナンの誘導体、単数または複数の緩和剤および以下の単数または複数から選択される製品：ケトロラク０．５％およびジクロフェナク０．１％。
【請求項３２】
緩和剤が以下の単数または複数から選択されている、請求項２０に記載の連続封鎖式一方向性バルブアセンブリおよび送達システム：セルロース誘導体、デキストラン、ゼラチン、ポリオール、ポリビニルアルコールおよびポビドン。
【請求項３３】
供給源に以下を含む防腐剤を含まないノーズケア製品が充填されている、請求項１に記載の連続封鎖式一方向性バルブアセンブリおよび送達システム。ヒアルロナンまたはヒアルロナンの誘導体および単数または複数の緩和剤。
【請求項３４】
ヒアルロナンまたはヒアルロナンの誘導体が約１４０万ダルトンから約２００万ダルトンの大きさの範囲の、請求項３３に記載の連続封鎖式一方向性バルブアセンブリおよび送達システム。
【請求項３５】
ヒアルロナンまたはヒアルロナンの誘導体が約１００万ダルトンから約２００万ダルトンの大きさの範囲の、請求項３３に記載の連続封鎖式一方向性バルブアセンブリおよび送達システム。
【請求項３６】
ヒアルロナンまたはヒアルロナンの誘導体が約１０００万ダルトンから約１５００万ダルトンの大きさの範囲の、請求項３３に記載の連続封鎖式一方向性バルブアセンブリおよび送達システム。
【請求項３７】
ヒアルロナンまたはヒアルロナンの誘導体が約１０００万ダルトンから約２５００万ダルトンの大きさの範囲の、請求項３３に記載の連続封鎖式一方向性バルブアセンブリおよび送達システム。
【請求項３８】
ヒアルロナンまたはヒアルロナンの誘導体が約０．０５〜０．５％存在する、請求項３３に記載の連続封鎖式一方向性バルブアセンブリおよび送達システム。
【請求項３９】
ヒアルロナンまたはヒアルロナンの誘導体が約０．１５〜３％存在する、請求項３３に記載の連続封鎖式一方向性バルブアセンブリおよび送達システム。
【請求項４０】
ヒアルロナンまたはヒアルロナンの誘導体が約０．１５〜０．５％存在する、請求項３３に記載の連続封鎖式一方向性バルブアセンブリおよび送達システム。
【請求項４１】
ヒアルロナンまたはヒアルロナンの誘導体が生物発酵によって得られる、請求項３３に記載の連続封鎖式一方向性バルブアセンブリおよび送達システム。
【請求項４２】
供給源に以下を含む防腐剤を含まないアイケア製品が充填されている、請求項３３に記載の連続封鎖式一方向性バルブアセンブリおよび送達システム。ヒアルロナンまたはヒアルロナンの誘導体、単数または複数の緩和剤および以下の単数または複数から選択される製品：チモロール０．２５％／０．５０％、  ブリモニジンタータラート０．１％、ビマトプロスト０．０３％  およびトラバプロスト０．００４％。    
【請求項４３】
供給源に以下を含む防腐剤を含まないアイケア製品が充填されている、請求項３３に記載の連続封鎖式一方向性バルブアセンブリおよび送達システム。ヒアルロナンまたはヒアルロナンの誘導体、単数または複数の緩和剤および以下の単数または複数から選択される製品：オロパタジン塩酸０．１％および酢酸プレドニゾロン１％。    
【請求項４４】
供給源に以下を含む防腐剤を含まないアイケア製品が充填されている、請求項３３に記載の連続封鎖式一方向性バルブアセンブリおよび送達システム。ヒアルロナンまたはヒアルロナンの誘導体、単数または複数の緩和剤および以下の単数または複数から選択される製品：ケトロラク０．５％およびジクロフェナク０．１％。
【請求項４５】
緩和剤が以下の単数または複数から選択されている、請求項３３に記載の連続封鎖式一方向性バルブアセンブリおよび送達システム：セルロース誘導体、デキストラン、ゼラチン、ポリオール、ポリビニルアルコール、ポリソルベート８０およびポビドン。
【請求項４６】
連続封鎖式一方向性バルブアセンブリおよび送達システムが防腐的を含まない製品の複数回用を調合することができる、請求項１に記載の連続封鎖式一方向性バルブアセンブリおよび送達システム。
【請求項４７】
以下を特長とする、流動性物質を分注するための連続封鎖式一方向性バルブアセンブリおよび送達システム：
流動性物質を保管する供給源、開口部のある供給源；
供給源の開口部に連結するバルブアセンブリ、以下を含む該バルブアセンブリ；
（ｉ）  流動性物質を通路へと受ける入口開口部および通路から少なくとも一つのポート開口部のある内部コア、
（ｉｉ）  第一端部および第二端部のある中空の柔軟な膜で、第一端部が第二端部よりも厚みがあり、中空の柔軟な膜が内部コアの外側表面上に適合し、流動性物質に加圧されたときに、流動性物質が少なくとも一つのポートから排出され、該内部コアの該外側表面から外側に該膜を伸ばすもの；
カバーが可撓膜を囲み、流動性物質に圧力が加えられる際にバルブアセンブリから流動性物質を分注する出口オリフィスがあるもの、そして、
流動性物質が圧力から開放されたときに、中空の可撓膜の第一端部が、中空の可撓膜の残りの部分が該内部コアの外側表面とぴったりと適合して接触する前に、内部コアの外側表面とぴったりと適合して接触するもの、そして、
供給源に以下を含む防腐剤を含まないアイケアまたはノーズケアの製品が充填されるもの：ヒアルロナンまたはヒアルロナンの誘導体および単数または複数の緩和剤。
【請求項４８】
以下を特長とする、流動性物質を分注するための連続封鎖式一方向性バルブアセンブリおよび送達システム：  
流動性物質を保管する供給源、開口部のある供給源；
供給源の開口部に連結するバルブアセンブリ、以下を含む該バルブアセンブリ；
（ｉ）  流動性物質を通路へと受ける入口開口部および通路から少なくとも一つのポート開口部のある内部コア、
（ｉｉ）  第一端部および第二端部のある中空の柔軟な膜で、第一端部が第二端部よりも厚みがあり、中空の柔軟な膜が内部コアの外側表面上に適合し、流動性物質に加圧されたときに、流動性物質が少なくとも一つのポートから排出され、該内部コアの該外側表面から外側に該膜を伸ばすもの；
カバーが可撓膜を囲み、流動性物質に圧力が加えられる際にバルブアセンブリから流動性物質を分注する出口オリフィスがあるもの、そして、  
流動性物質が圧力から開放されたときに、中空の可撓膜の第一端部が、中空の可撓膜の残りの部分が該内部コアの外側表面にぴったりと適合して接触する前に、内部コアの外側表面にぴったりと適合して接触するもの、そして、
供給源に以下を含む防腐剤を含まないアイケアまたはノーズケアの製品が充填されるもの：ヒアルロナンまたはヒアルロナンの誘導体および単数または複数の緩和剤。
【請求項４９】
以下を特徴とする、送達システム：  
流動性物質を保管する供給源、開口部のある供給源；
供給源の開口部に連結するバルブアセンブリ、以下を含む該バルブアセンブリ；
（ｉ）  流動性物質を通路へと受ける入口開口部および通路から少なくとも一つのポート開口部のある内部コア、
（ｉｉ）  第一端部および第二端部のある中空の柔軟な膜で、第一端部が第二端部よりも厚みがあり、中空の柔軟な膜が内部コアの外側表面上に適合し、流動性物質に加圧されたときに、流動性物質が少なくとも一つのポートから排出され、該内部コアの該外側表面から外側に該膜を伸ばすもの；
カバーが可撓膜を囲み、流動性物質に圧力が加えられる際にバルブアセンブリから流動性物質を分注する出口オリフィスがあるもの、そして、
流動性物質が圧力から開放されたときに、中空の可撓膜の第一端部が、中空の可撓膜の残りの部分が該内部コアの外側表面とぴったりと適合して接触する前に、内部コアの外側表面とぴったりと適合して接触するもの、そして、
供給源に以下を含む防腐剤を含まないアイケアまたはノーズケアの製品が充填されるもの：ヒアルロナンまたはヒアルロナンの誘導体。
【請求項５０】
以下を特長とする、流動性物質を分注するための連続封鎖式一方向性バルブアセンブリおよび送達システム：  
流動性物質を保管する供給源、開口部のある供給源；
供給源の開口部に連結するバルブアセンブリ、以下を含む該バルブアセンブリ；
（ｉ）  流動性物質を通路へと受ける入口開口部および通路から少なくとも一つのポート開口部のある内部コア、
（ｉｉ）  第一端部および第二端部のある中空の可撓膜で、第一端部が第二端部よりも厚みがあり、中空の可撓膜が内部コアの外側表面上に適合し、流動性物質に加圧されたときに、流動性物質が少なくとも一つのポートから排出され、該内部コアの該外側表面から外側に該膜を伸ばすもの；
カバーが可撓膜を囲み、流動性物質に圧力が加えられる際にバルブアセンブリから流動性物質を分注する出口オリフィスがあるもの、  
流動性物質が圧力から開放されたときに、中空の可撓膜の第一端部が、中空の可撓膜の残りの部分が該内部コアの外側表面にぴったりと適合して接触する前に、内部コアの外側表面にぴったりと適合して接触するもの、
該内部コア、中空の可撓膜、およびカバーの少なくとも１つが抗菌物質を含み、そして、
供給源に以下を含む防腐剤を含まないアイケアまたはノーズケアの製品が充填されるもの：ヒアルロナンまたはヒアルロナンの誘導体および単数または複数の緩和剤。
【請求項５１】
該抗菌物質がセラミック担体内に含まれる銀イオン、および徐放性のイオン銀化合物から選択される、請求項５０記載の一方向性バルブアセンブリおよび送達システム。
【請求項５２】
以下を特長とする、流動性物質を分注するための連続封鎖式一方向性バルブアセンブリおよび送達システム：  
流動性物質を保管する供給源、開口部のある供給源；
供給源の開口部に連結するバルブアセンブリ、以下を含む該バルブアセンブリ；
（ｉ）  流動性物質を通路へと受ける入口開口部および通路から少なくとも一つのポート開口部のある内部コア、
（ｉｉ）  第一端部および第二端部のある中空の可撓膜で、第一端部が第二端部よりも厚みがあり、中空の可撓膜が内部コアの外側表面上に適合し、流動性物質に加圧されたときに、流動性物質が少なくとも一つのポートから排出され、該内部コアの該外側表面から外側に該膜を伸ばすもの；
カバーが可撓膜を囲み、流動性物質に圧力が加えられる際にバルブアセンブリから流動性物質を分注する出口オリフィスがあるもの、  
流動性物質が圧力から開放されたときに、中空の可撓膜の第一端部が、中空の可撓膜の残りの部分が該内部コアの外側表面にぴったりと適合して接触する前に、内部コアの外側表面にぴったりと適合して接触するもの、そして、
該中空の可撓膜およびカバーの少なくとも１つが、疎水性物質を含む。
【請求項５３】
該疎水性物質が、正荷電物質、低摩擦物質、高表面張力物質、または抗湿潤物質から選択される、請求項５２記載の一方向性バルブアセンブリおよび送達システム。
【請求項５４】
該低摩擦物質がテフロンである、請求項５２記載の一方向性バルブアセンブリおよび送達システム。